(57)【要約】【課題】複写機のキャリブレーションにおいて、ユーザがデータ処理装置に回線を介して原稿送信のオペレーションを行い、装置のパラメータを最適化をおこなうことによりユーザに親切な高性能の複写機を提供することがを目的とする。【解決手段】読取手段と記録手段と補正手段とファクシミリ通信手段と記憶手段と原稿検出手段を有する画像処理装置と、ファクシミリ通信手段とデータ処理部とデータベース部とを有するデータ処理装置からなるシステム。【選択図】　　　図１
2004023643.tif 000002
【特許請求の範囲】
【請求項１】
読取手段と記録手段と補正手段とファクシミリ通信手段と記憶手段と原稿検出手段を有する画像処理装置と、
ファクシミリ通信手段とデータ処理部とデータベース部とを有するデータ処理装置からなるシステムにおいて、
原稿台に原稿がない状態でキャリブレーションキーが押下されたとき、
キャリブレーションに必要な診断原稿を出力し、
原稿台に原稿がない状態でキャリブレーションキーが押下されたとき、
読取、データ処理装置にファクシミリ送信することにより、
データ処理装置が診断原稿、受信データから画像処理パラメータを算出し、
画像処理装置に補正手段の設定値を送信することにより、
画像処理のパラメータ最適化を行うことを特徴とする画像処理最適化システム。
【請求項２】
原稿台に原稿がない状態でキャリブレーションキーが押下されたとき、
診断用データをデータ処理端末からポーリング受信し、
受信データを診断用原稿として出力し、
原稿台に原稿がない状態でキャリブレーションキーが押下されたとき、
読取、データ処理装置にファクシミリ送信することにより、
データ処理装置が送信、受信データから画像処理パラメータを算出し、
画像処理装置に補正手段の設定値を送信することにより、
画像処理のパラメータ最適化を行うことを特徴とする請求項の画像処理最適化システム。
【請求項３】
原稿台に原稿がない状態でキャリブレーションキーが押下されたとき、
画像処理装置のパラメータを宣言し、
そのパラメータに対応した診断用データをデータ処理端末からポーリング受信し、
受信データを診断用原稿として出力し、
原稿台に原稿がない状態でキャリブレーションキーが押下されたとき、
読取、データ処理装置にファクシミリ送信することにより、
データ処理装置が送信、受信データと受信パラメータから画像処理パラメータを算出し、
画像処理装置に補正手段の設定値を送信することにより、
画像処理のパラメータ最適化を行うことを特徴とする請求項の画像処理最適化システム。
【請求項４】
読取手段と記録手段と補正手段とファクシミリ通信手段と記憶手段を有する画像処理装置と、
ファクシミリ通信手段とデータ処理部とデータベース部とを有するデータ処理装置からなるシステムにおいて、
原稿台に原稿がない状態でキャリブレーションキーが押下されたとき、
キャリブレーションに必要な診断原稿を出力し、
原稿台に原稿がない状態でキャリブレーションキーが押下されたとき、
設定されている読取のパラメータをマスクし、
キャリブレーション用のパラメータで読取を行い、
データ処理装置にファクシミリ送信することにより、
データ処理装置が診断原稿、受信データから画像処理パラメータを算出し、
画像処理装置に補正手段の設定値を送信することにより、
画像処理のパラメータ最適化を行うことを特徴とする画像処理最適化システム。
【請求項５】
原稿台に原稿がない状態でキャリブレーションキーが押下されたとき、
キャリブレーションに必要な手順が示されたキャリブレーションに必要な診断原稿を出力することを特徴とする画像処理最適化システム。
【発明の詳細な説明】
【０００１】
【発明の属する技術分野】
本発明は画像処理装置に関し、詳しくは高色再現のためのメンテナンスを簡便なオペレーションによりおこなう画像処理装置およびメンテナンスのシステムに関するものである。
【０００２】
【従来の技術】
キャリブレーションは（カラー）複写機や（カラー）印刷機において従来より行われており、その手法としては、印字したテストチャートの目視評価、または外部の測色計で測色を行い、出力チャートの期待値と測色したデータとのズレから（カラー）複写機または（カラー）印刷機の特性を補正するデータを作成し、最適化を図っていた。
【０００３】
しかし、濃度再現性、色再現性、コントラスト再現性などの各項目において手間がかかると同時に精度の高い診断、調整が行えなかった。また、測色計など高価な測定器を用いての調整は一般のコンシューマ向け製品では不可能であった。
【０００４】
また、測色計を用いたメンテナンスや目視による判定は、メンテナンス担当者やサービスマンなどが行う必要があり、ユーザが気軽に最適化することが出来なかった。
【０００５】
また、装置自体で最適化処理しようとすると各項目用の処理回路が必要になり構成が複雑になり、安価な画像処理装置において実現不可能であった（特開昭６３−１５３１３９、特開昭６３−１８３４６１、特開平７−２３６０１９）。
【０００６】
【発明が解決しようとする課題】
本発明は、上記問題を解消するためになされたものであり、その目的とするところは、ユーザに特殊なオペレーションを要求することなく、画像処理装置の最適化をおこなうことが可能な画像処理装置およびシステムを提供することにある。
【０００７】
【課題を解決するための手段】
そのために本発明では、
読取手段と記録手段と補正手段とファクシミリ通信手段と記憶手段と原稿検出手段を有する画像処理装置と、
ファクシミリ通信手段とデータ処理部とデータベース部とを有するデータ処理装置を有することを特徴とする。
【０００８】
以上の構成によれば、
原稿台に原稿がない状態でキャリブレーションキーが押下されたとき、
キャリブレーションに必要な診断原稿を出力し、
原稿台に原稿がない状態でキャリブレーションキーが押下されたとき、
読取、データ処理装置にファクシミリ送信することにより、
データ処理装置が診断原稿、受信データから画像処理パラメータを算出し、
画像処理装置に補正手段の設定値を送信することにより、
画像処理のパラメータ最適化を行うことが可能となる。
【０００９】
【発明の実施の形態】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１０】
以下、図面を参照して本発明の実施形態を詳細に説明する。図１は本発明の一実施形態に係る画像処理装置の構成を示すブロック図である。
【００１１】
図において、ＣＰＵ１０−１は、ＲＯＭ１０−２に記憶されているプログラムに従って、後述する本実施形態の画像処理を実行するとともに、本画像処理装置が有する種々の機能を制御する。
【００１２】
メモリ部１０−３は書き換え可能なメモリで各種画像処理用の係数・テーブルなどの情報を格納する。
【００１３】
メモリ部１０−４は電池などでバックアップされたメモリである。また、画像処理にはアクセスの高速化のためメインバスではなく画像バスを設けたり、各処理回路に内蔵させるようにしてもよい。
【００１４】
画像部は読取部１０−５、画像処理部１０−６、記録部１０−７からなる。
【００１５】
ＣＣＤを備えた読取部１０−５において原稿画像を読取り、レッド（Ｒ）、グリーン（Ｇ）、ブルー（Ｂ）各色のアナログ輝度データを出力する。なお、読取部１０−５は、ＣＣＤの代わりに密着型イメージセンサ（ＣＳ）を備えてもよく、また出力される読取りデータはＣ、Ｍ、Ｙの各色に係るものであってもよい。
【００１６】
画像処理部１０−６は、読取部１０−５から送られてきたアナログデータをデジタルデータに、例えば各色１画素８ビット、２５６階調を表現可能なディジタルデータに変換し、メモリ部１０−４に格納する。さらに、このデータを画像処理部１０−６に書き込むことにより、後述される本実施形態の画像処理が行われ、これによって得られる２値カラーデータを読み出してＲＡＭ１０−４に格納する。そして、この格納されるデータが、記録部１０−７で所定量の記録を行うのに必要な量に達した時点で、記録部１０−７による記録動作が実行される。
【００１７】
記録部１０−７はバブルジェット（登録商標）方式のインクジェットヘッドまたは電子写真のレーザや感光ドラム、転写ドラム、汎用ＩＣなどによって構成され、ＣＰＵ１０−１の制御により、メモリ部１０−４に格納されている記録データを読み出し、ハードコピーとしてプリント出力することができる。
【００１８】
さらに、図１に示す構成において、通信部はモデム部１０−８と回線の接続を行うＤＡＡ（Ｄａｔａ　Ａｃｃｅｓｓ　Ａｒａｎｇｅｍｅｎｔ）部１０−９からなる。
【００１９】
モデム部１０−８はデジタルデータをＩＴＵ−Ｔで勧告された方式により通信する。モデム部１０−８は、Ｖ．３４、Ｖ．３２、Ｖ．３２ｂｉｓ、Ｖ．１７、Ｖ．２９、Ｖ．２７ｔｅｒ、Ｖ．２３、Ｖ．２１（Ｈ、Ｌ）モデムと、これらのモデムに接続されたクロック発生回路などから構成され、ＣＰＵ１０−１の制御に基づいてメモリ部１０−４に格納されている送信データを変調しＤＡＡ部１０−９を介して加入者回線（電話回線）１０−１３に出力するものである。
【００２０】
さらにモデム部１０−８は、加入者回線１０−１３からのアナログ信号をＤＡＡ部１０−９を介して導入しこれを復調して二値化したデータをメモリ部１０−４に格納するものである。
【００２１】
ＤＡＡ部１０−９は、加入者回線１０−１３の直流捕捉回路、交流の補足回路、Ｃｉ／極反検出回路、２線４線変換回路からなり、加入者回線１０−１３をモデム部１０−８に接続するものである。
【００２２】
Ｎｅｔｗｏｒｋ制御部１０−１０では、ネットワークへの物理的な接続とネットワークのインターフェイスを制御する。
【００２３】
オペレーション部はユーザが操作を行う操作部１０−１１と各種情報を表示する表示部１０−１２からなる。
【００２４】
操作部１０−１１は、モノクロコピー時やカラーコピー時におけるコピーキー、コピーにおける解像度や画質などのモードを指定するモードキー、動作を停止させるストップキー、コピー部数を入力するテンキーや登録キー、ファクシミリ動作を開始するスタートキー、キャリブレーションを実行する「キャリブレーションキー」などから構成されている。そして、ＣＰＵ１０−１はこれらキーの押下状態を検出し、その状態に応じて各部を制御する。
【００２５】
表示部１０−１２は、ドットマトリックスタイプの液晶表示部（ＬＣＤ）とＬＣＤドライバを備え、ＣＰＵ１０−１の制御に基づいて各種表示を行う。
【００２６】
図２は、図１に示した画像処理装置２０−１０とデータ処理装置からなるシステムを示すものである。
【００２７】
データ処理装置２０−１５は画像処理装置に最適なパラメータを決定するデータ処理装置である。
【００２８】
ネットワーク２０−２０は公知の電話回線網でありＰＳＴＮ（Ｐｕｂｌｉｃ　ＳｗｉｔｃｈｅｄＴｅｌｅｐｈｏｎｅ　Ｎｅｔｗｏｒｋ）／ＩＳＤＮ（Ｉｎｔｅｇｒａｔｅｄ　Ｓｅｒｖｉｃｅｓ　Ｄｉｇｉｔａｌ　Ｎｅｔｗｏｒｋ）のどちらでも構わない。
【００２９】
２０−１０は図１で説明した画像処理装置であり、接続Ａでは画像処理装置２０−１０が前記ＤＡＡ部１０−９でＰＳＴＮ／ＩＳＤＮ２０−２０に接続され、データ処理装置２０−１５に接続される。
【００３０】
接続Ｂでは画像処理装置２０−１０が前記ＤＡＡ部１０−９でＰＳＴＮ／ＩＳＤＮ２０−２０に接続され、Ｌ網やＪ−ＷＥＢなどの有線電話会社のデータ通信サービス網２０−２３に接続されインターネット網２０−２２を経由してデータ処理装置２０−１５に接続される。
【００３１】
接続Ｃでは画像処理装置２０−１０が前記ＤＡＡ部１０−９でＰＳＴＮ／ＩＳＤＮ２０−２０に接続され、ＩＳＰ２０−２１経由でインターネット網２０−２２を経由してデータ処理装置２０−１５に接続される。ＩＳＰ（Ｉｎｔｅｒｎｅｔ　Ｓｅｒｖｉｃｅ　Ｐｒｏｖｉｄｅｒ）はＰＳＴＮ／ＩＳＤＮ２０−２０をインターネット網２０−２２に接続するサービスを提供するものである。
【００３２】
接続Ｄでは画像処理装置２０−１０が前記ネットワーク制御部１０−１０でＬＡＮ２０−２３に接続され、Ｇ／Ｗ２０−２４を経由しインターネット網２０−２２によりデータ処理装置２０−１５に接続される。
【００３３】
図３は、図１に示した構成の画像処理装置において、カラーコピー時のデータの流れを示したものである。
【００３４】
読取部１０−５で読取ったＲＧＢ１２ｂｉｔの各輝度データはＡ／Ｄ変換、シェーディング補正などの処理を行う。
【００３５】
シェーディング補正にて主走査方向の読取ばらつきを補正するものであり、このときに得られるデータにより光源の点灯時間や電化蓄積時間の制御を行う。また、読取部３０−１の色特性を補正するために各色別パラメータで補正するとよい。
【００３６】
γ部３０−２は主に読取部の感度特性を補正する。各色独立にγ補正されたデータは後段の処理に必要なデータ量が蓄積されるまでメモリ部１０−４に格納される。
【００３７】
ＣＰＵ部１０−１により読み出されたデータは処理部３０−３で各種画像処理を行う。ここでは空間フィルタを用いたノイズ除去やエッジ強調、カラー／モノや写真／文字などの像域分離処理を行う。
【００３８】
各種処理を行ったデータを色変換部３０−４によりＲＢＧ輝度空間からＣＭＹまたはＬａ＊ｂ＊またはＹＣｂＣｒなどの濃度空間に色空間変換を行う。
【００３９】
変換されたデータは記録部１０−７が出力可能なパターンへ２値化変換される。（３０−５）
記録技術の進化により記録部も多値出力が可能となっている。しかし、色空間上２５６ｘ２５６ｘ２５６通りの多値データに対し数十個の出力データを生成する必要がある。対応を画素毎に計算するものとテーブルを参照するものがあり、ＬＵＴ法や誤差拡散法が知られている。ここでは、小規模なテーブルと簡単な計算のみで出力パターンデータ生成を行う方法として開示された技術（ＣＤ法Ｃｏｌｏｒ　Ｄｉｆｆｅｒｅｎｃｅ　Ｄｉｆｆｕｓｉｏｎ：特開平１１−５５５３５）を使用する。
【００４０】
ＣＤ法は後述（公開されている）のように、印字パターンの出力とそれを選択した時の誤差（色差）をテーブルとして持っている。カラーコピーの特性はこのテーブルにより調整され、画像の解像度、階調性、紙などのメディア対応、インク種別対応にあわせて行われる。
【００４１】
印字パターン生成部３０−５で生成されたデータは黒文字強調などの出力補正部３０−７を経由し記録部３０−８へ送られ印字される。
【００４２】
記録部３０−８では環境温度や湿度、出力デバイスのランクや特性をもとに間引き処理や休止処理を行う。
【００４３】
図３で説明した画像データの流れにおいて、コピー性能劣化の原因となるもの、つまり工場出荷後の変動パラメーの例を説明する。
【００４４】
読取部３０−１では、光源の光量変動、センサの感度劣化がある。
【００４５】
補正方法としては各色点灯時間を独立に設定する。
【００４６】
または計数をかけて読取データを補正する。
【００４７】
記録部３０−８においては消耗部品の交換や劣化、工場出荷時と異なる使用環境によるところが大きい。
【００４８】
インクジェットプリンタの場合、
インクを吐出させる素子の感度によるばらつき、
吐出されるインクの温度特性によるばらつき、
インクが着弾するメディアの吸収特性、地色によるばらつき、
着弾したインクが乾燥する時の温度、湿度による特性変化
などがある。
【００４９】
これらの原因により、原稿３０−１０の濃度と出力されたデータ３０−１１の濃度の差分ΔＥが増大する。
【００５０】
［ＣＤ法］
図４は、図３に示した印字パターン生成部３０−５の詳細を示す図である。印字パターン生成部は、後述のことから明らかなように、各８ビットの入力画像輝度データＲ、Ｇ、Ｂに対して直接記録部１−１１で用いる２値のＹ、Ｍ、Ｃ、Ｋに対応づける処理を行う。
【００５１】
印字パターン生成部３０−５は図４に示す構成において、大きく分けて前処理を行う部分と出力パターンと色差拡散を行うＣＤ法ブロックと各種メモリーとのＩ／Ｆとなるブロックからなっている。
【００５２】
読取部１０−５で読取ったＲＧＢ１２ｂｉｔの各輝度データはＡ／Ｄ変換、シェーディング補正、エッジ強調やノイズ除去、像域分離、解像度変換回路などを必要に応じて行い、タはＲＧＢ１２ｂｉｔとして色空間変換回路３０−４に入力される。入力されたデータは画像処理装置の特性やユーザの好みを反映した画像に変換するための補正回路４０−１に入力される。
【００５３】
補正されたＣＭＹデータは、色差加算回路６０−２にて後述の前ラインの色差データと前画素の色差データを加える。
【００５４】
次に色差を加算されたＣＭＹデータが色空間上最も近い色を再現できるインクの打ち方ＣＭＹＫを選択する。この対応は、特開平１１−５５５３５において開示されているのＣＤ法によって行いまた関連を事前に計算しておきテーブルにもっておくことにより実装上処理の負荷が小さく好ましい。また、距離の計算は他の色空間Ｌａ＊ｂ＊やＹＣｂＣｒでもよい。
【００５５】
本実施の形態ではさらに実装上の効果を考慮し、ＣＭＹ各８ｂｉｔから上位３ｂｉｔを切り出した９ｂｉｔ（５１２個）の入力に対する対応ＣＭＹＫ出力データを作成する。
【００５６】
このテーブルをテーブルメモリ４０−５に格納しておき、前記９ｂｉｔのデータに対する印字パターンをＲＡＭ　Ｉ／Ｆ部４０−４を経由し出力バッファ部４０−６へ出力する。
【００５７】
入力データに対し少ないポイントにデータを変換すると誤差が生じる。この誤差を切り捨てては色再現が悪くなる。そこでＣＤ法では生じた誤差を各色成分に周辺画素に拡散して色再現性が悪くなることを回避している。
【００５８】
以下にその具体例を述べる。
【００５９】
入力されたデータの濃度情報と選択された出力パターンの濃度情報の色差を減算回路４０−７で計算する。
【００６０】
ここで用いる選択された出力パターンの濃度情報は前記印字パターンを所定の条件で印字した場合の濃度を予測したものであり、後述するように測定により実験的に求められたものを使用する。この求められたデータを出力色テーブルメモリに対応して格納しておき、該当画素がどのような色で出力したかをＲＡＭ　Ｉ／Ｆ部６０−４経由でえられる。
【００６１】
計算された色差は色差分配回路４０−８で各画素に分配される。
【００６２】
すなわち、色差は重み付けを行った後、次画素の入力画像データに加算するため前述の色差加算回路４０−２へ送られるとともに、次のラインの画素に拡散するため色差積算回路４０−９に送られる。この色差積算回路４０−９は、次のラインのそれぞれの画素に対応する画素ごとに色差の和をとり前ライン色差メモリ４０−１１に保管するものである。
【００６３】
図５は、主に上記ＣＤ法における２値化処理、すなわち記録部１０−７で用いるプリント用データを得るための処理を示すフローチャートである。
【００６４】
以下、図に示すフローチャートに従い、各ステップ毎にその処理について説明する。
【００６５】
ステップＳ１０１：カラーコピーやカラープリントが実行されると、前ライン色差格納メモリ２１３および２値化処理部内の各バッファをクリアする。
【００６６】
ステップＳ１０２：処理対象となっている入力画素を示すカウンタＰＩＸを０に初期化する。
【００６７】
ステップＳ１０３：読取り後各種前処理を行った画像データを２値化処理部のＲ、Ｇ、Ｂそれぞれに割り振られたレジスタにデータを書き込む。
【００６８】
なお、データの形式は、表色系としてＲＧＢ以外にＣＭＹや他の色でもよいことは勿論である。
【００６９】
３００ｄｐｉから６００ｄｐｉに変換する当実施の形態の場合２画素毎（Ｒ０、Ｒ１、Ｇ０、Ｇ１、Ｂ０、Ｂ１）に入力を行えばアクセス回数および解像度変換で効率がよくなる。
【００７０】
２値化処理部の処理を管理する方法としては、クロック数をカウントする方法を用いることができる。ＣＰＵよりデータが書き込まれるのをトリガーとしてシステムカウンタがカウントをスタートし、クロック数で処理タイミングを制御することにより最適な処理回路を設計することができる。
【００７１】
また、同期回路となるためタイミング検証等の容易になる。
【００７２】
ステップＳ１０３の処理で、アドレスＲ、Ｇ、Ｂの順にデータを書き込む場合、アドレスＢのデータが書き込まれるのをトリガーとしてシステムカウンタはカウントをスタートし、１クロックごとに計数する。このカウンタは、ソフトクリアによってまたは次のＲのデータが書き込まれた時にクリアされる。
【００７３】
ステップＳ１０４：必要であれば解像度変換を行う。
【００７４】
ステップＳ１０５：色空間変換回路３０−５でＲＧＢ空間からＣＭＹに変換される。ＲＧＢからＣＭＹ変換では各色独立に変換できる。処理に余裕があれば他の色空間に変換しても構わない。
【００７５】
なお、入力データがＣ、Ｍ、Ｙで表わされるものである場合は色空間変換を行わなくてもよいことは勿論である。
【００７６】
ステップＳ１０６において画像処理装置の特性やユーザの好みを反映した画像に変換するためのγ変換を行う。
【００７７】
以上により生成された入力データをＣｉ、Ｍｉ、Ｙｉとする。
【００７８】
ステップＳ１０７：本処理画素に拡散される前ライン色差データＣＬを格納メモリ２１３から読み出す。この色差データについては後述する。
【００７９】
ステップＳ１０８：上記で得た入力データＣｉに、上述のように、前ライン色差データ格納メモリ４０−１１から図７に示す画素の対応で読み出した色差データＣＬと水平方向の前の画素、すなわち直前の処理画素のエラーＣＰを加算する。
【００８０】
ステップＳ１０９：上記加算によって得られたＣｉ＋ＣＬ＋ＣＰをデータＩＬＰＣとする。
【００８１】
ＩＬＰＣは、符号付き１１ビット幅（−５１２〜＋５１２）であり、オーバフローしないように５１２を越えるものは５１２として丸め込むことで加算回路を画像に影響が出ない範囲で小規模に実現することができる。
【００８２】
同様の処理をＧ、Ｂについても並列して行い、ＩＬＰＭ、ＩＬＰＹを生成する。このようにして、入力画像データに前ラインの所定画素および直前の処理画素それぞれにおける色差を加算したデータを得ることができる。
【００８３】
ステップＳ１１０：前記処理により算出された入力データ（ＩＬＰＣ、ＩＬＰＭ、ＩＬＰＹ）に基づいてアドレスＩＬＰＣ′、ＩＬＲＭ′、ＩＬＰＹ′を作成し、これらアドレスにより図８に示す出力色テーブル４０−５を参照して色空間上でこの入力データに最も近い出力色データ（Ｃｐ、Ｍｐ、Ｙｐ）を読み出し、レジスタに格納する。
【００８４】
この出力色テーブル４０−５は次のように構成されている。
【００８５】
色空間において、入力データが示す色（ＩＬＰＣ、ＩＬＰＭ、ＩＬＰＹ）と記録部で実際に記録して得られる測定データが示す色（Ｃｐ、Ｍｐ、Ｙｐ）との距離は、以下の式で求められる。
【００８６】
Ｌ２　＝（ＩＬＰＣ−Ｃｐ）２　＋（ＩＬＰＭ−Ｍｐ）２＋（ＩＬＰＹ−Ｙｐ）２
この演算において、Ｙｐ、Ｍｐ、Ｃｐの値を図９の出力色点テーブルに示すような範囲で変更し、Ｌ２の値が最も小さくなるときのＣｐ、Ｍｐ、Ｙｐの組を求め、図９に示す関係でこのＣｐ、Ｍｐ、Ｙｐの組に対応するそれぞれ２値の（ＫＯ、ＣＯ、ＭＯ、ＹＯ）を、入力データ（ＩＬＰＣ、ＩＬＰＭ、ＩＬＰＹ）に対応する出力色とする関係がテーブル化される。
【００８７】
以上のように、各画素について出力色データを求めるために上記の計算を行うにはソフトおよびハードの負荷が著しく多く処理に長い時間が必要となるため、本発明では、予め上記の計算結果をテーブルに持つことにより、色差を考慮した入力データ（ＩＬＰＣ、ＩＬＰＭ、ＩＬＰＹ）に基づき、色空間上で、この入力データに最も近い出力色データ（ＫＯ、ＣＯ、ＭＯ、ＹＯ）を高速に求めることが可能となる。
【００８８】
また、テーブルをメモリにおいて構成し、出力装置およびインクおよびトナーなど記録方法、紙などの記録媒体に対応する最適な複数のテーブルをもつことにより最適な出力色データ（ＫＯ、ＣＯ、ＭＯ、ＹＯ）を高速に求めることが可能となる。
【００８９】
さらに、テーブルを変更することにより、複数のドットや大きさの異なるドットにより画像を表現することが可能となる。また、複数のテーブルはメインおよびＰＣの制御により変更可能とすることによりハードの変更なく最適のテーブルを選択できる。
【００９０】
出力色テーブルに関して、入力データ（ＩＬＰＣ、ＩＬＰＭ、ＩＬＰＹ）は、上述のように符号付きでそれぞれ１１ビットであるが、対応する出力色データは（ＫＯ、ＣＯ、ＭＯ、ＹＯ）が各数ビットが対応することになる。そこで、本実施形態では、入力データの上位複数ビットを取り出すことにより、より小さなテーブルで出力色データを求めるようにする。
【００９１】
具体的には、ステップＳ１０９で図８に示すように入力データ（ＩＬＰＣ、ＩＬＰＭ、ＩＬＰＹ）の符号を取った各上位３ビットを結合し９ビットのアドレスデータ（ＩＬＰＣ′、ＩＬＰＭ′、ＩＬＰＹ′）とすれば５１２個のテーブルとすることができる。
【００９２】
ステップＳ１１１：テーブル４０−５より読み出した出力色データ（ＫＯ、ＣＯ、ＭＯ、ＹＯ）をバッファ回路に格納される。ここで、Ｃ、Ｍ、Ｙ、Ｋそれぞれにレジスタを割り振りデータバスのサイズに対応した８画素分を格納した時点で読み出しを行うことにより、ＣＰＵから２値化処理部へのアクセス数を減らすことができ、また記録部のデータ処理方式が主走査のライン単位の場合はソフトによるデータ並べ換えの負担が軽減される。また、副走査方向への出力データが２画素分の場合、出力されたビットを切り分けて別のレジスタに書き込むことにより別ラインのデータとして記録部１０−７に出力することが出来る。
【００９３】
なお、ＣＰＵにワード（１６ビット）単位の転送モードがあれば、Ｃ、Ｍ、Ｙ、Ｋそれぞれにレジスタを２個ずつ割り振り１６画素分を格納した時点でＣＰＵから読み出すようにしてもよい。
【００９４】
以上により出力２ライン分のデータの２値化が行われ、処理画素の垂直位置ＹがインクリメントされてステップＳ１０２からの処理が繰り返され、また、改ページにより、ステップＳ１０１からの処理が繰り返される。
【００９５】
次に、以上示した２値化処理の際に生じる色差の拡散プロセスについて図１０に示すフローチャートを図１０に従い詳細に説明する。
【００９６】
ステップＳ２０１：処理対象となる入力画素の垂直位置Ｙを０に初期化する。
【００９７】
ステップＳ２０２：処理対象となる入力画素の水平位置Ｘを０に初期化する。
【００９８】
ステップＳ２０３：上述のように出力色テーブル４０−５から得られた出力色データ（ＣＯ、ＭＯ、ＹＯ、ＫＯ）より図９の出力色点テーブル４０−５を参照し多値データ（Ｃｐ、Ｍｐ、Ｙｐ）を得る。ここで、データ（Ｃｐ、Ｍｐ、Ｙｐ）は前述したように（ＣＯ、ＭＯ、ＹＯ、ＫＯ）に基づいてプリントした場合の各色の濃度を示すものである。
【００９９】
ステップＳ２０４：処理による画素（Ｘ、Ｙ）の色差Ｅ（Ｃｅ、Ｍｅ、Ｙｅ）を入力データ（Ｃｉ、Ｍｉ、Ｙｉ）と出力色点データ（Ｃｐ、Ｍｐ、Ｙｐ）より減算回路４０−７において次のように求める。
【０１００】
Ｃｅ＝Ｃｐ−Ｃｉ、Ｍｅ＝Ｍｐ−Ｍｉ、Ｙｅ＝Ｙｐ−Ｙｉ
ステップＳ２０５：色差分配回路４０−７において、上記で求めた色差Ｅを近傍の入力画素に所定の割合で加える。具体的には、図６に示すように、処理対象画素の右および次ライン画素中の斜左下、下、斜右下の４画素に対し色差を拡散するものであり、右側への色差拡散は、色差加算回路４０−２へ色差データを送ることにより、また、次ラインの上記３つの画素への拡散は前ライン色差メモリに色差データを送ることによって達成される。すなわち、処理画素（ｘ、ｙ）の色差は
（ｘ−１、ｙ＋１）に２／１６
（ｘ、ｙ＋１）　　に５／１６
（ｘ＋１、ｙ＋１）に１／１６
（ｘ＋１、ｙ）　　に８／１６（１／２）
の割合で分配する。なお、１６で割った時の余りを（ｘ＋１、ｙ）に分配することにより色差の情報を失うことなく反映させることもできる。
【０１０１】
これにより、加算回路４０−２での加算は次のように行われる。
【０１０２】
Ｙｉ（Ｘ＋１、Ｙ）→Ｙｉ（Ｘ＋１、Ｙ）＋（Ｙｅ／２）
Ｍｉ（Ｘ＋１、Ｙ）→Ｍｉ（Ｘ＋１、Ｙ）＋（Ｍｅ／２）
Ｙｉ（Ｘ＋１、Ｙ）→Ｃｉ（Ｘ＋１、Ｙ）＋（Ｃｅ／２）
ステップ２０６：一方、以上のことから、処理画素（ｘ、ｙ）に拡散される色差は、
Ｅ（ｘ、ｙ）→１／１６Ｅ（ｘ−１、ｙ−１）＋５／１５Ｅ（ｘ、ｙ−１）＋２／１６Ｅ（ｘ＋１、ｙ−１）＋８／１６Ｅ（ｘ−１、ｙ）＋
であり、このうち前ライン（（ｙ−１）のデータＥは前ライン色差メモリ２１３に格納されている。この場合、前述したように色差積算回路４０−９は前ラインの各画素の組についての色差の和
ＣＬ＝１／１６Ｅ（ｘ−１、ｙ−１）＋５／１６Ｅ（ｘ、ｙ−１）＋２／１６Ｅ（ｘ＋１、ｙ−１）
を格納することになる。これにより、ＲＡＭを有効に活用することもできる。
【０１０３】
また、ＲＡＭチップを活用し、アクセス回数を減少させるために格納する色差が８ビット（−１２８〜１２８）までに収まるよう、図６に示す分配を定めればよい。また、分配する領域をさらに広げることにより、より忠実な色再現が得られる。さらに、色差は未処理画素に分配するため、処理方向を左右交互とすれば色差が特定の方向のみに反映されることなく、モアレなどの発生を抑制する効果がある。
【０１０４】
以降、ステップＳ２０７で水平位置カウンタＸを更新し、ステップＳ２０８で１ライン分の処理が終わったか否かの判定する。１ライン分が終了したときは、ステップＳ２０９で垂直位置カウンタＹを更新し、ステップＳ２１０で全ラインの処理が終わったか否かを判定する。
【０１０５】
＜出力色テーブル４０−５の決定＞
カラーの読み取りと出力を備えた本装置のようなシステム設計において入出力色の再現性向上は重要な事項の一つである。
【０１０６】
まず、本システムで使用する出力色組合せを決定する。
【０１０７】
出力データを生成するデータが１画素につき２ｂｉｔ、３値表現できる記録方式では淡色で表現できる組合せは何もインクを打ち込まない白を含むと９とおりある。
【０１０８】
２つの画素が異なる色のドットの場合を図１１、図１２に例を示す。
【０１０９】
先ずＹドットとＫドットがない場合を考える。
【０１１０】
（Ｃ、Ｍ）が（０、０）の時はどちらのドットも打たず白色（記録メディアの色）となり、
（Ｃ、Ｍ）が（１、０）の時はＣドットを１ドット打ち、
（Ｃ、Ｍ）が（２、０）の時はＣドットを２ドット打つ。
【０１１１】
（Ｃ、Ｍ）が（２、２）の場合はＣドットとＭドットをともに２ドット印字する。
【０１１２】
これをＹとＣ、ＭとＹ、各色とＫとの組合せの数分の色空間を表現することができる。
【０１１３】
算術的には３４＝８１通りの組合せが考えられるが、（Ｃ，Ｍ，Ｙ，Ｋ）＝（１，１，１，２）など色空間的に他の組合せで置き換えても充分に再現できる色やインクの打ち込み制限量などの制約により使用できない組合せを除外する。
【０１１４】
残った出力パターンの組合せを実際にユーザが使用する記録メディアにパッチとして印字し、印字したデータを測色する。
【０１１５】
ここで、測色したＣＭＹデータと（Ｃ、Ｍ、Ｙ）を関連つけるために読取部から前記パッチを読取る。読取ったデータを色空間変換部２０２の処理を行う。
【０１１６】
このときの（Ｃ、Ｍ、Ｙ）を（Ｃｐ、Ｍｐ、Ｙｐ）とし、各パッチからえられたデータを図９のようなテーブルとする。
【０１１７】
そして前述の式１を用いて入力ＩＬＰと各出力パッチの（Ｃｐ、Ｍｐ、Ｙｐ）との距離を求め最短のものを図８のようなテーブルにする。
【０１１８】
本実施形態の色差拡散法（ＣＤ法）は全ての入力色を最も近い使用するインクとその組合せの種類の入力色に置き換え、その差分を周辺の画素に拡散するため、この対応の取り方がＣＤ法を用いたカラーコピーの色再現性を高める基本となる。
【０１１９】
ＩＬＰに対しＣＭＹＫをＣＭＹＫに対し（Ｙｐ，Ｍｐ，Ｃｐ）を求める必要がある。そこで図１３のようにまとめたテーブルを持つようにする。
【０１２０】
上記１で求めた対応は使用するインクの種類、紙の種類に応じて異なるため、サポートするインク、紙などに応じてテーブルを変更すると高い色再現性が得られる。ＲＡＭに複数の種類を持たず、コピー毎、または設定変更毎にＲＯＭ等からＲＡＭにテーブルをコピーしてもよい。もちろん、平均的なテーブルを持つことにより、持つテーブルを簡素化してもよい。
【０１２１】
また、選択されている紙などの記録媒体とトナーやインクにおける最適化を下記の手順で行うことも可能である。
【０１２２】
［診断］
カラー原稿の複写において、図３における原稿３０−１０と出力画像３０−１１が出来るだけ同じになるように先に説明したＣＤ法のテーブルと各種テーブルを調整後出荷されている。
【０１２３】
キャリブレーション時にも原稿を読取り、出力画像を測色するのが望ましい。しかし、色管理された原稿で行う必要がありまた傷や変色した原稿では調整どころか色再現性を悪化させてしまう可能性がある。
【０１２４】
そこで、サンプルデータをメモリしておき、出力する方法がある。しかし、測色という作業をユーザまたはサービスマンが行う必要があった。
【０１２５】
次に図１４を用いモデム部１０−８で受信したデータを処理するデータの流れと、出力した画像をモデム部１０−８経由で送信するデータの流れを示す。
【０１２６】
画像処理装置２０−１０の読取原稿台に原稿が入っていない状態で、操作部１０−１１「キャリブレーションボタン」が押下された場合、ＤＡＡ部１０−９を制御し、データ処理装置２０−１５へ発呼する。このときに、画像処理装置２０−１０の各種パラメータデータを宣言し、後述の最適な診断データを受信するようにしてもよい。
【０１２７】
診断データ５０−１を受信した本画像処理装置は、モデム部１０−８で復調・復号処理を行いデジタルデータとして出力する。
【０１２８】
カラーファクシミリデータは、モノクロのファクシミリの勧告に追加される形で、Ｔ．３０、Ｔ．４、Ｔ．４２およびＴ．８１にて勧告されている。
【０１２９】
解像度・符号化方法・圧縮率、色空間がＩＴＵ−Ｔの勧告で標準化されている。
【０１３０】
ここで、解像度とは、ＩＴＵ−Ｔ　Ｔ．４で規定されている、スタンダード（ｓｔａｎｄａｒｄ　ｒｅｓｏｌｕｔｉｏｎ　ｏｆ：３．８５　ｌｉｎｅ／ｍｍ）、ファイン（ｈｉｇｈｅｒ　ｒｅｓｏｌｕｔｉｏｎ　ｏｆ　７．７　ｌｉｎｅ／ｍｍ）、スーパーファイン（ｏｐｔｉｏｎａｌ　ｈｉｇｈｅｒ　ｒｅｓｏｌｕｔｉｏｎ　ｏｆ　１５．４　ｌｉｎｅ／ｍｍ）、１００ｄｐｉ、２００ｄｐｉ、３００ｄｐｉ、４００ｄｐｉである。
【０１３１】
符号化方法とは、ＩＴＵ−Ｔ　Ｔ．４で規定されているＭＨ（Ｍｏｄｉｆｉｅｄ　Ｈｕｆｆｍａｎ：データの符号／復号化法）、ＭＲ（Ｍｏｄｉｆｉｅｄ　Ｒｅａｄ：ファクシミリの符号化方式）、ＭＭＲ（Ｍｏｄｉｆｉｅｄ　Ｍｏｄｉｆｉｅｄ　Ｒｅａｄ：データの符号／復号化法）、ＪＰＥＧ（Ｊｏｉｎｔ　Ｐｈｏｔｏｇｒａｐｈｉｃ　Ｅｘｐｅｒｔｓ　Ｇｒｏｕｐ：同組織によるカラー静止画像の圧縮方式）等の符号化方法をいう。
【０１３２】
圧縮率とは、ＩＴＵ−Ｔ　Ｔ．８１で規定されているＪＰＥＧ方式のＱパラメータである。
【０１３３】
色空間とはカラーファクシミリのデータをどの国のどのメーカのファクシミリでも標準的に扱えるように同勧告Ｔ．４２決めた色空間Ｌａ＊ｂ＊色空間を用いている。
【０１３４】
ファクシミリ受信したＬａ＊ｂ＊データを５０−３にてＲＧＢ輝度データに変換する。
【０１３５】
これは、後述する読取輝度データを標準色空間に変換する５０−１２の逆変換である。
【０１３６】
３０−３で各種画像処理を行い、３０−４で輝度から濃度への色変換を行う。３０−５で前記ＣＤ法による出力パターン生成を行い、３０−７で出力補正をした結果のデータをプリント部１０−７から診断データ５０−９をプリントアウトする５０−８。
【０１３７】
このときプリントアウトするメディアはカラー複写時と同一のものを選択する。
【０１３８】
図１６にプリントアウトされた診断データ５０−９の一例を示す。
【０１３９】
次に説明する診断データ５０−９の送信を簡便にするために、ユーザが行うべきオペレーション（５２−１）を記載するとよい。また、操作部１０−１１に「キャリブレーションボタン」を設置し、診断データ５０−９を原稿台にセットし「キャリブレーションボタン」を押下することにより所定の設定でデータ処理装置に診断データを送る動作を自動で行うことが望ましい。
【０１４０】
原稿台に原稿がある状態で「キャリブレーションボタン」を押下により、診断データ５０−９を読取部１０−５で読取る（５０−１０）。読取部の特性を補正し（５０−１１）、前記標準色空間に変換する（５０−１２）。通常のコピーでユーザが使用している画像品質、濃度設定などのパラメータをマスクし、キャリブレーション用のパラメータで読取る。
【０１４１】
標準色空間への変換方法はスキャナにおいてＰＣのディスプレイ用のｓＲＧＢ空間に変換するプロファイル生成と公知のＲＧＢ→ＸＹＺ→Ｌａ＊ｂ＊変換によっておこなう。
【０１４２】
標準色空間へ変換されたデータはＤＡＡ部１０−９がメモリ部１０−３に登録されている電話番号に発呼動作を行い、モデム部１０−８において符号化・変調されデータ処理装置２０−１５に診断結果データとして送られる。このとき、Ｔ．３０で規定されているＮＣＳを用いキャリブレーション通信であることや送信側の画像処理装置のＩＤやユーザ番号を通知する。また、公知の発信者番号通知サービスを利用してもよい。
【０１４３】
また、非標準機能ビットを拡張して、ヘッドのランクや使用環境パラメータ（温度・湿度）、使用頻度などを送信するようにする。
【０１４４】
図３、図１４、図１５から明らかなように、カラー複写時のデータフローとカラーファクシミリを用いたキャリブレーション時のデータフローは全く同じ画像処理を実行される。よって、入力原稿３０−１０と出力画像３０−１１の差分ΔＥを最小にするためには入力データ５０−１と出力データ５０−の差分ΔＥを最小にすればよい。
【０１４５】
次に、図１７を用いて、データ処理装置の動作を説明する。
【０１４６】
受信したファクシミリデータを復調・復号し（６０−１０）、画像データと各種パラメータデータを取得する。ＮＳＣ、ＣＩＧにより発信者のＩＤ取得を行うだけでなく、通信事業者のサービスである発信者番号通知サービスを利用してもよい。
【０１４７】
受信した画像データは診断用の各ブロックのパッチ５２−２やパターンを抽出（６０−１３）する。原稿が逆に挿入された場合や、診断チャートが複数枚にわたる場合は正しいチャートと比較できるように画像処理（６０−１１）を行う。各診断チャートにバーコード５２−４を印字しチャートの順序を規定してもよい。
【０１４８】
受信した各種パラメータデータ（６０−１２）は使用環境（温度、湿度）環境ラメータ、使用量、交換部品などの情報を含み、このデータをもとにデータ処理装置のデータベースを参照する（６０−１４）。
【０１４９】
データベースの中から、診断データと診断結果データの差分と傾向を分析する（６０−１５）。
【０１５０】
具体的な差分算出方法としては、
ΔＥ（ｘ，ｙ）（ここで、ｘ，ｙは測色用のパッチを示す）を算出する。
【０１５１】
このときにΔＥ（０，０）（５２−３）として記録紙の地の色を調べる。カラー複写機においては記録メディアの地の色は重要なデータであり、色再現性を高めるための各種パラメータの全ての基準はここにある。特に薄いインクを使用して、粒状間のない高品位な自然画像を再現させる時は重要なパラメータである。
【０１５２】
様々な理由により、メーカが推奨しているメディアをユーザが使用しているとは限らない。そこで、ユーザが実際に使用しているメディアの地の色を測色する事は重要なパラメータである。この地の色は白基準板との差異として測定する。また、白基準版を読取った場合の輝度データから読取部の劣化を各色成分ごとに検出することが出来る。
【０１５３】
また、工場出荷時に白基準に対する出力値は測定し品質管理を行っている。この、出荷時検査のデータベースを利用して経年変化・点灯時間（使用量）、変化量から最適な読取パラメータを選択する。
【０１５４】
つぎに、メディアのにじみ量を測定する各色の細線からなるパターン（５２−５）を解析する。細線へのインクの打ち込み量を変化させたパターンを解析し各色または各色混色による打ち込み量とにじみの程度を認識する。このことにより、特にインクジェットプリンタの２次色以上の色再現性をメディアに対し最適化する。
【０１５５】
以上の結果よりたとえば、Ｒ輝度データが５％低下していて、地色が黄色っぽく、にじみ量の多いメディアを使用していると判定したとする。
【０１５６】
先ず、更新された最適な読取パラメータに基づきＲの読取用の蓄積時間を延長し、出力色テーブルの基準となる白地の濃度を診断結果データから得られた地色の濃度に置き換えて再構築する。
【０１５７】
またこのとき、メディアのにじみ量を測定できるパターンを用い、インクの打ち込み量制限を変更したテーブルを作成する。
【０１５８】
作成した各種パラメータをＮＳＣに更新データ送信ビットを立てた上で、画像ファイルとして公知のファクシミリ手段により画像処理装置（２０−１０）に送信する。
【０１５９】
画像処理装置（２０−１０）は受信したＮＳＣの更新データ送信ビットにより行進用のデータであることを認識し、通常ファクシミリ受信データの処理ではなくテーブル更新のための処理を行う。
【０１６０】
誤ってデータが更新されたり、悪意を持って改悪されることを防ぐためにパスワードによりセキュリティをかけるようにする。
【０１６１】
（他の実施形態）
以上、本発明の実施形態について詳述したが、本発明は、複数の機器から構成されるシステムに適用しても良いし、また、一つの機器からなる装置に適用しても良い。
【０１６２】
なお、本発明は、前述した実施形態の機能を実現するソフトウェアのプログラムを、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【０１６３】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【０１６４】
その場合、プログラムの機能を有していれば、オブジェクトコード、インタプリタにより実行されるプログラム、ＯＳに供給するスクリプトデータ等、プログラムの形態を問わない。
【０１６５】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１６６】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【０１６７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１６８】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０１６９】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【０１７０】
【発明の効果】
本発明によれば、以上説明したように、読取手段と記録手段と補正手段とファクシミリ通信手段と記憶手段を有する画像処理装置と、ファクシミリ通信手段とデータ処理部とデータベース部とを有するデータ処理装置からなるシステムにおいて、原稿台に原稿がない状態でキャリブレーションキーが押下されたとき、キャリブレーションに必要な診断原稿を出力し、原稿台に原稿がない状態でキャリブレーションキーが押下されたとき、読取、データ処理装置にファクシミリ送信することにより、データ処理装置が診断原稿、受信データから画像処理パラメータを算出し、画像処理装置に補正手段の設定値を送信することにより画像処理のパラメータ最適化を画像処理装置に特別な画像処理最適化を実装することなく、ファクシミリ原稿の送信のような簡便な操作で行う効果がある。
【図面の簡単な説明】
【図１】本発明の一実施の形態である画像処理装置１０を示すブロック図である。
【図２】画像処理装置１０と、通信網とデータ処理装置を示す図である。
【図３】上記実施の形態において、画像データのフローを示すブロック図の一例を示した図である。
【図４】上記実施の形態において、印字パターン生成（２値化処理）の一例を示したブロック図である。
【図５】上記実施の形態のデータの流れを示すフローチャートである。
【図６】上記実施の形態の処理に用いられるテーブルを示す図である。
【図７】上記実施の形態の処理に用いられるテーブルを示す図である。
【図８】上記実施の形態の処理に用いられるテーブルを示す図である。
【図９】上記実施の形態の処理に用いられるテーブルを示す図である。
【図１０】上記実施の形態のデータの流れを示すフローチャートである。
【図１１】上記実施の形態の処理に用いられるテーブルを示す図である。
【図１２】上記実施の形態の処理に用いられるテーブルを示す図である。
【図１３】上記実施の形態の処理に用いられるテーブルを示す図である。
【図１４】上記実施の形態のデータの流れを示すフローチャートである。
【図１５】上記実施の形態のデータの流れを示すフローチャートである。
【図１６】上記実施の形態において、診断用のデータの一例を示す図である。
【図１７】上記実施の形態のデータの流れを示すフローチャートである。
【符号の説明】
１０−１　ＣＰＵ
１０−２　ＲＯＭ
１０−３　メモリ部（ＳＲＡＭ）
１０−４　メモリ部
１０−５　読取部
１０−６　画像処理部
１０−７　記録部
１０−８　モデム部
１０−９　ＤＡＡ部
１０−１０　Ｎｅｔｗｏｒｋ　Ｉ／Ｆ部
１０−１１　操作部
１０−１２　表示部
【図１】
2004023643.tif 000003
【図２】
2004023643.tif 000004
【図３】
2004023643.tif 000005
【図４】
2004023643.tif 000006
【図５】
2004023643.tif 000007
【図６】
2004023643.tif 000008
【図７】
2004023643.tif 000009
【図８】
2004023643.tif 000010
【図９】
2004023643.tif 000011
【図１０】
2004023643.tif 000012
【図１１】
2004023643.tif 000013
【図１２】
2004023643.tif 000014
【図１３】
2004023643.tif 000015
【図１４】
2004023643.tif 000016
【図１５】
2004023643.tif 000017
【図１６】
2004023643.tif 000018
【図１７】
2004023643.tif 000019